(57)【要約】【課題】ロータリピストンエンジンの搭載性を高めつつ、その性能向上を図る。【解決手段】車両搭載用ロータリピストンエンジンは、出力軸Ｘが水平方向に延びる向きで、車両に搭載されるロータリピストンエンジン本体（ロータリピストンエンジン１）と、吸気ポート１１に接続される吸気通路（吸気マニホールド１２）と、排気ポート１０に接続される排気通路（排気マニホールド１３）と、を備える。出力軸の一方側の位置から当該出力軸に沿う方向にロータリピストンエンジン本体を見たときに、吸気ポートは、ロータリピストンエンジン本体における下部側の位置に設けられていると共に、排気ポートは、ロータリピストンエンジン本体における上部側の位置に設けられ、吸気通路は、ロータリピストンエンジン本体の側方位置に配設されていると共に、排気通路は、ロータリピストンエンジン本体の上方位置に配設されている。【選択図】図３
2016061275.tif 000002
【特許請求の範囲】
【請求項１】
出力軸が水平方向に延びる向きで、車両に搭載されるロータリピストンエンジン本体と、
前記ロータリピストンエンジン本体に設けられた吸気ポートに接続される吸気通路と、
前記ロータリピストンエンジン本体に設けられた排気ポートに接続される排気通路と、を備え、
前記出力軸の一方側の位置から当該出力軸に沿う方向に前記ロータリピストンエンジン本体を見たときに、前記吸気ポートは、前記ロータリピストンエンジン本体における下部側の位置に設けられていると共に、前記排気ポートは、前記ロータリピストンエンジン本体における上部側の位置に設けられ、
前記吸気通路は、前記ロータリピストンエンジン本体の側方位置に配設されていると共に、前記排気通路は、前記ロータリピストンエンジン本体の上方位置に配設されている車両搭載用ロータリピストンエンジン。
【請求項２】
請求項１に記載の車両搭載用ロータリピストンエンジンにおいて、
前記ロータリピストンエンジン本体は、遊星回転する三角形状のロータと、前記ロータが摺接するトロコイド内周面を有するロータハウジングと、前記ロータハウジングの側方に配設されかつ、前記ロータハウジングと共に前記ロータを収容するロータ収容室を区画するサイドハウジングとを有して構成されており、
前記排気ポートは、
前記サイドハウジングに設けられて前記ロータ収容室に開口すると共に、前記ロータに設けられたオイルシールの軌跡に基づき決定される開口縁を一辺とする所定の細長略三角形状の開口部と、
前記開口部に対して曲がりながら連続すると共に、前記サイドハウジング内を前記ロータリピストンエンジン本体の外周面にまで延びて、当該外周面に開口する通路部と、を有し、
前記通路部は、前記開口部の前記開口縁から細長略三角形状の重心位置に向かう方向に、延びている車両搭載用ロータリピストンエンジン。
【請求項３】
請求項１又は２に記載の車両搭載用ロータリピストンエンジンにおいて、
前記排気通路の途中には、排気ターボ装置が配設されており、
前記排気ターボ装置は、前記ロータリピストンエンジン本体の上方に位置している車両搭載用ロータリピストンエンジン。
【発明の詳細な説明】
【技術分野】
【０００１】
ここに開示する技術は、車両搭載用ロータリピストンエンジンに関する。
【背景技術】
【０００２】
特許文献１には、車両搭載用ロータリピストンエンジンが記載されている。このロータリピストンエンジンは、出力軸が水平方向となる向きで、車両に搭載されている。また、ロータリピストンエンジン内部のロータ収容室を区画形成するサイドハウジング及びインターミディエイトハウジングには吸気ポート及び排気ポートが設けられており、出力軸の一方側の位置から当該出力軸に沿う方向にロータリピストンエンジンを見たときに、吸気ポートは、繭のような略楕円形状をしたロータ収容室の長軸を挟んだ一側でかつ短軸よりも上側の位置に、排気ポートは、長軸を挟んだ一側でかつ短軸よりも下側の位置に、それぞれ位置している。
【０００３】
そして、吸気ポートに接続される吸気通路（吸気マニホールドを含む）は、ロータリピストンエンジンの側方上部の接続位置から、ロータリピストンエンジンの上部へと延びており、ロータリピストンエンジンの上方には、吸気通路の途中に介設されるスロットルボディが位置している。一方、排気ポートに接続される排気通路（排気マニホールドを含む）は、ロータリピストンエンジンの側方下部の接続位置から、車両前後方向の後方へと延びている。
【先行技術文献】
【特許文献】
【０００４】
【特許文献１】特開２００９−８５１１６号公報
【発明の概要】
【発明が解決しようとする課題】
【０００５】
ところで近年は、狭小なエンジンルーム内で、効率的にエンジンを搭載することが要求されている。また、ロータリピストンエンジンの性能向上も、同時に求められている。
【０００６】
ここに開示する技術は、かかる点に鑑みてなされたものであり、その目的とするところは、ロータリピストンエンジンの搭載性を高めつつ、その性能向上を図ることにある。
【課題を解決するための手段】
【０００７】
ここに開示する技術は、車両搭載用ロータリピストンエンジンに係り、この車両搭載用ロータリピストンエンジンは、出力軸が水平方向に延びる向きで、車両に搭載されるロータリピストンエンジン本体と、前記ロータリピストンエンジン本体に設けられた吸気ポートに接続される吸気通路と、前記ロータリピストンエンジン本体に設けられた排気ポートに接続される排気通路と、を備える。
【０００８】
そして、前記出力軸の一方側の位置から当該出力軸に沿う方向に前記ロータリピストンエンジン本体を見たときに、前記吸気ポートは、前記ロータリピストンエンジン本体における下部側の位置に設けられていると共に、前記排気ポートは、前記ロータリピストンエンジン本体における上部側の位置に設けられ、前記吸気通路は、前記ロータリピストンエンジン本体の側方位置に配設されていると共に、前記排気通路は、前記ロータリピストンエンジン本体の上方位置に配設されている。
【０００９】
前述した特許文献１にも記載されているように、従来、車両搭載用ロータリピストンエンジンは、出力軸が水平方向に延びる向きで車両に搭載されると、出力軸の一方側の位置から当該出力軸に沿う方向にロータリピストンエンジン本体を見たときに、吸気ポートは、ロータリピストンエンジンにおける上部側の位置に設けられると共に、排気ポートは、ロータリピストンエンジンにおける下部側の位置に設けられる。
【００１０】
これに対し、前記の構成では、吸気ポートは、ロータリピストンエンジン本体における下部側の位置に設けられていると共に、排気ポートは、ロータリピストンエンジン本体における上部側の位置に設けられている。つまり、本構成のロータリピストンエンジンは、従来構成のロータリピストンエンジンに対して、吸気ポート及び排気ポートの配置が上下逆になるように、ロータリピストンエンジン本体を、出力軸に対して１８０°回転させた状態で、車両に搭載している。
【００１１】
従来構成のロータリピストンエンジンは、吸気ポートが上部側の位置に設けられるため、エンジンルーム内の上方に配設される吸気通路は、比較的短い長さで、この吸気ポートに接続される。
【００１２】
これに対し、前記の構成のロータリピストンエンジンは、吸気ポートが下部側の位置に設けられ、それに伴い、吸気通路は、ロータリピストンエンジン本体の側方位置を上から下に延びて配設された後、吸気ポートに接続される。尚、ここでいう「吸気通路」は、共通通路と独立通路とを有して構成される吸気マニホールドを含む。吸気通路の長さは、従来構成と比較して長くなるため、慣性効果による動的過給効果を得る上で有利になる。
【００１３】
また、前記の構成のロータリピストンエンジンは、排気ポートが上部側の位置に設けられ、排気通路は、ロータリピストンエンジン本体の上方位置に配設される。尚、ここでいう「排気通路」は、独立通路と集合通路を有して構成される排気マニホールドを含む。排気通路の長さは比較的短くなるため、排気通路における通路抵抗が低下する。
【００１４】
こうして、吸気側においては動的過給効果が得られ、排気側においては通路抵抗が低下することで、ロータリピストンエンジンの性能向上が図られる。また、エンジン本体の近傍に配設される吸気通路には、大型のデバイスが介設しないため、吸気通路をロータリピストンエンジン本体の側方位置に配設しても、ロータリピストンエンジン全体のコンパクト化が図られる。これにより、ロータリピストンエンジンの、狭小なエンジンルーム内への搭載性が高まる。
【００１５】
前記ロータリピストンエンジン本体は、遊星回転する三角形状のロータと、前記ロータが摺接するトロコイド内周面を有するロータハウジングと、前記ロータハウジングの側方に配設されかつ、前記ロータハウジングと共に前記ロータを収容するロータ収容室を区画するサイドハウジングとを有して構成されており、前記排気ポートは、前記サイドハウジングに設けられて前記ロータ収容室に開口すると共に、前記ロータに設けられたオイルシールの軌跡に基づき決定される開口縁を一辺とする所定の細長略三角形状の開口部と、前記開口部に対して曲がりながら連続すると共に、前記サイドハウジング内を前記ロータリピストンエンジン本体の外周面にまで延びて、当該外周面に開口する通路部と、を有し、前記通路部は、前記開口部の前記開口縁から細長略三角形状の重心位置に向かう方向に、延びている、としてもよい。尚、ここでいう「サイドハウジング」は、ロータリピストンエンジンが複数のロータを含む場合、出力軸方向に並ぶ複数のロータの間に配設されるインターミディエイトハウジングを含む。
【００１６】
ロータリピストンエンジンでは、排気ポートの開口を、三角形状のロータの回転によって開閉するため、その開口形状は一般的に次のように定められる。つまり、開口部の開口縁は、三つの辺によって構成される全体として細長い略三角形状を有し、その内、ロータ収容室の内方側に位置する一辺は、ロータの側面に設けられるオイルシールの軌跡に基づいて決定され、外方側に位置する二つの辺の内の一つは、排気ポートの開放を開始する位置のロータの周面形状に基づいて決定され、もう一つは、排気ポートの閉塞を完了する位置のロータの周面形状に基づいて決定される。
【００１７】
そして、前記の構成では、開口部と通路部とを有する排気ポートにおいて、通路部を、開口部の開口縁（つまり、オイルシールの軌跡に基づいて決定される一辺）から細長略三角形状の重心位置に向かう方向に延びて設ける。このことにより、開口部と通路部とが連続する曲がり部分において、排気ガス流の乱れが抑制される。その結果、排気ポートの通路抵抗が低下し、排気性能が高まる。
【００１８】
また、排気ポートが、ロータリピストンエンジンの下部側の位置に設けられた従来構成では、ロータリピストンエンジンの外側面に開口するように、通路部が、おおよそ水平方向に延びていた。これに対し、本構成では、通路部を、開口部の開口縁の一辺から細長略三角形状の重心位置に向かう方向に延びて設ける結果、通路部は、ロータリピストンエンジン本体の上部側に位置する開口部から斜め上方に向かって延びて、ロータリピストンエンジン本体の上部の外周面に開口するようになる。こうして、ロータリピストンエンジン本体の上方位置に配設される排気通路への接続性が良くなり、排気側の通路抵抗がさらに低下し、排気性能のさらなる向上が図られる。
【００１９】
前記排気通路の途中には、排気ターボ装置が配設されており、前記排気ターボ装置は、前記ロータリピストンエンジン本体の上方に位置している、としてもよい。
【００２０】
排気ターボ装置は、排気エネルギを有効に得るために、排気通路において排気ポートに近い位置に介設することが好ましい。従って、排気ターボ装置は、ロータリピストンエンジン本体の近傍に配置されることになる。
【００２１】
ここで、排気ポートが、ロータリピストンエンジンの下部側の位置に設けられた従来構成では、排気ターボ装置がロータリピストンエンジンの下部付近に配設されることになる。この構成では、排気ターボ装置が、例えばクロスメンバ等を含む車体部材と干渉する虞がある。
【００２２】
これに対し、前記の構成は、前述したように、排気ポートをロータリピストンエンジン本体の上部側の位置に設け、排気通路及び排気ターボ装置をロータリピストンエンジン本体の上方に配置している。これにより、排気ターボ装置をロータリピストンエンジン本体の近傍に配置しつつも、排気ターボ装置と車体部材との干渉が確実に回避される。また、ロータリピストンエンジン本体の下部側における干渉が回避されるため、ロータリピストンエンジン本体の車両への搭載位置を、できるだけ低い位置にすることも可能になる。その結果、ロータリピストンエンジン本体の上側にスペースが確保し易くなり、例えば大型の排気ターボ装置をロータリピストンエンジン本体の上方位置に配設して、エンジンルーム内に収めることも可能になる。
【発明の効果】
【００２３】
以上説明したように、前記の車両搭載用ロータリピストンエンジンは、吸気ポートをロータリピストンエンジン本体の下部側の位置に設け、排気ポートをロータリピストンエンジン本体の上部側の位置に設けることで、ロータリピストンエンジン全体をコンパクトにして狭小なエンジンルーム内への搭載性を高めつつ、吸気側及び排気側のそれぞれで、ロータリピストンエンジンの性能向上を図ることができる。
【図面の簡単な説明】
【００２４】
【図１】車両に搭載されたロータリピストンエンジンを示す平面図である。
【図２】車両に搭載されたロータリピストンエンジンを示す側面図である。
【図３】車両に搭載されたロータリピストンエンジンを示す背面図である。
【図４】ロータリピストンエンジンの内部構造を示す断面図である。
【図５】ロータリピストンエンジンの排気ポートの開口部付近を拡大して示す説明図である。
【図６】排気ポートの形状を概念的に示す説明図である。
【図７】排気ポートの形状と通路抵抗との関係を示す図である。
【発明を実施するための形態】
【００２５】
以下、図面を参照しながらロータリピストンエンジンを説明する。尚、以下の説明は、例示である。図１〜３は、車両に搭載されたロータリピストンエンジン１（以下、単にエンジン１ともいう）を示している。この内、図１は、エンジンルーム９０内のエンジン１を上から見た平面図であり、図１の紙面左側が車両前後方向の前側であり、紙面右側が車両前後方向の後側であり、紙面上側が車幅方向の右側であり、紙面下側が車幅方向の左側である。図２は、エンジンルーム９０内のエンジン１を車幅方向の左から右に向かう方向に見た側面図であり、図２の紙面左側が車両前後方向の前側であり、紙面右側が車両前後方向の後側であり、紙面上側が上下方向の上側であり、紙面下側が上下方向の下側である。図３は、エンジンルーム９０内のエンジン１を車両前後方向の後ろから前に向かう方向に見た背面図であり、図３の紙面左側が車幅方向の左側であり、紙面右側が車幅方向の右側であり、紙面上側が上下方向の上側であり、紙面下側が上下方向の下側である。
【００２６】
エンジン１は、出力軸Ｘが車体前後方向となる向きでエンジンルーム９０内に配設されている。エンジンルーム９０と車室９１との間に介在するダッシュパネル９２には、車幅方向中央部に、車両前後方向の前側から後方に向かって凹陥すると共に、フロアトンネル９４につながる凹陥部９３が形成されている。エンジン１の後端部は、この凹陥部９３の内部に位置するように配設されている。これにより、エンジン１は、エンジンルーム９０内で可能な限り後方に配置されていると共に、エンジン１の重心位置が可能な限り低くなるように配置されている。これは、車両の前後重量配分を５０：５０にしかつ、車両を低重心化する上で有利になる。
【００２７】
このエンジン１は、詳細な図示は省略するが、２つのロータ２（図４参照）を備えた２ロータタイプであり、図１、２に示すように、前側及び後側の２つのロータハウジング３、３が、インターミディエイトハウジング（つまり、サイドハウジング）４をその間に挟んだ状態で、これらの両側からさらに２つのサイドハウジング５、５で挟み込むようにして一体化されることによって構成されている。
【００２８】
そして、図４に示すように、ロータハウジング３の、平行トロコイド曲線で描かれるトロコイド内周面３ａと、これらロータハウジング３を両側から挟むサイドハウジング５の内側面と、インターミディエイトハウジング４の両側の内側面４ａとによって、回転軸Ｘの一方側から回転軸Ｘに沿う方向にロータリピストンエンジン１を見たときに、繭のような略楕円形状をしたロータ収容室３１が、車両前後方向の前側及び後側の２つ横並びに区画されており、これらロータ収容室３１にロータ２が１つずつ収容されている。各ロータ収容室３１は、インターミディエイトハウジング４に対して対称に配置されており、ロータ２の位置及び位相が異なっている点を除けば構成は同じであるため、以下、１つのロータ収容室３１について説明する。
【００２９】
ロータ２は、回転軸Ｘの方向から見て各辺の中央部が膨出する略三角形状をしたブロック体からなり、その外周に、各頂部間に３つの略長方形をしたフランク面２ａ、２ａ、２ａを備えている。
【００３０】
ロータ２は、各頂部に図示しないアペックスシールを有し、これらアペックスシールがロータハウジング３のトロコイド内周面３ａに摺接しており、このロータハウジング３のトロコイド内周面３ａと、インターミディエイトハウジング４の内側面４ａと、サイドハウジング５の内側面と、ロータ２のフランク面２ａとで、ロータ収容室３１の内部に、３つの作動室８、８、８がそれぞれ区画形成されている。従ってこのエンジン１は、車両前後方向の前側に第１〜第３の３つの作動室８と、後側に第４〜第６の３つの作動室８の、合計６個の作動室を有している。
【００３１】
ロータ２の内側には位相ギアが設けられている（図示せず）。すなわち、ロータ２の内側の内歯車（ロータギア）とサイドハウジング５側の外歯車（固定ギア）とが噛合するとともに、ロータ２は、インターミディエイトハウジング４及びサイドハウジング５を貫通しかつ、出力軸Ｘを構成するエキセントリックシャフト６に対して、遊星回転運動をするように支持されている。尚、符号２１は、ロータ２の側面に設けられたオイルシールであり、余分な潤滑オイルが作動室８内に流入することを防止する。
【００３２】
ロータ２の回転運動は内歯車と外歯車との噛み合いによって規定され、ロータ２は、３つのシール部が各々ロータハウジング３のトロコイド内周面３ａに摺接しつつ、エキセントリックシャフト６の偏心輪（偏心軸）６ａの周りを自転しながら、回転軸Ｘの周りに自転と同方向に公転する（この自転及び公転を含め、広い意味で単にロータの回転という）。そして、ロータ２が１回転する間に３つの作動室８、８、８が周方向に移動し、それぞれで吸気、圧縮、膨張（燃焼）及び排気の各行程が行われて、これにより発生する回転力がロータ２を介してエキセントリックシャフト６から出力される。
【００３３】
より具体的に、図４において、ロータ２は矢印で示すように、時計回りに回転し、回転軸Ｘを通るロータ収容室３１の長軸Ｙを境に分けられるロータ収容室３１の右側が概ね吸気及び排気行程の領域となり、左側が概ね圧縮及び膨張行程の領域となっている。
【００３４】
これに対し、従来構成のロータリピストンエンジンは、回転軸Ｘを通るロータ収容室３１の長軸Ｙを境に分けられるロータ収容室３１の左側が概ね吸気及び排気行程の領域となり、右側が概ね圧縮及び膨張行程の領域となっている。つまり、本構成のロータリピストンエンジンは、従来構成のロータリピストンエンジンを、回転軸Ｘを中心として１８０°回転させたような状態で車両に搭載している。
【００３５】
図４における右下の作動室８に着目すると、これは吸気と噴射された燃料とによって混合気を形成する吸気行程を示しており（以下、この状態にある作動室を吸気作動室８ともいう）、この作動室８がロータ２の回転につれて圧縮行程に移行すると、その内部にて混合気が圧縮される（図示は省略するが、以下、この状態にある作動室を圧縮作動室８ともいう）。その後、図２の左側に示す作動室８のように圧縮行程の終盤から膨張行程にかけて所定のタイミングにて点火プラグ８２、８３により点火されて、燃焼・膨張行程が行われる（以下、この状態にある作動室を圧縮・膨張作動室８ともいう）。そして、最後に図２の右上の作動室８のような排気行程に至ると（以下、この状態にある作動室を排気作動室８ともいう）、燃焼ガスが排気ポート１０から排気された後、再び吸気行程に戻って各行程が繰り返されるようになっている。
【００３６】
吸気作動室８には、吸気ポート１１が連通している。すなわち、吸気ポート１１は、回転軸Ｘを通るロータ収容室３１の短軸Ｚよりも下側、言い換えるとエンジン１における下部側の位置に設けられている。吸気ポート１１は、より詳細には、吸気作動室８に面するインターミディエイトハウジング４の内側面４ａに、ロータ収容室３１の外周側の短軸Ｚ寄りで開口すると共に、インターミディエイトハウジング４内を、ほぼ水平方向に延びて、エンジン１の側面に開口する。また、図示は省略するが、吸気作動室８に面するサイドハウジング５の内側面にも、吸気ポート１１に対向するように、別の吸気ポートが開口しており、この吸気ポートも、サイドハウジング５内を、ほぼ水平方向に延びて、エンジン１の側面に開口する。
【００３７】
排気作動室８には、排気ポート１０が連通している。すなわち、排気ポート１０は、回転軸Ｘを通るロータ収容室３１の短軸Ｚよりも上側、言い換えるとエンジン１における上部側の位置に設けられている。排気ポート１０は、より詳細には、排気作動室８に面するインターミディエイトハウジング４の内側面４ａに、ロータ収容室３１の外周側の短軸Ｚ寄りで開口すると共に、インターミディエイトハウジング４内を、斜め上方に向かって延びて、エンジン１の上面と側面との角部付近に開口する。また、図示は省略するが、排気作動室８に面するサイドハウジング５の内側面にも、前記排気ポート１０に対向して別の排気ポートが開口している。この排気ポートも、サイドハウジング５内を、斜め上方に向かって延びて、エンジン１の上面と側面との角部付近に開口する。このエンジン１では、いわゆるサイド排気方式が採用されており、この排気ポート１０の開口位置及び開口形状は、吸気のオープンタイミングと排気のオープンタイミングとがオーバーラップしないように設定されている。これによって、次行程に持ち込まれる残留排ガスを低減している。
【００３８】
尚、図４における符号１０３は、排気通路内に二次エアを供給するための二次エア通路である。また、排気ポート１０の構成の詳細は、後述する。
【００３９】
このように、このロータリピストンエンジン１では、従来構成とは異なり、出力軸Ｘの一方側の位置から当該出力軸Ｘに沿う方向にエンジン１を見たときに、吸気ポート１１を、エンジン１における下部側の位置に設け、排気ポート１０を、エンジン１における上部側の位置に設けている。
【００４０】
作動室８内に燃料を供給するためのインジェクタ８１は、インターミディエイトハウジング４に取り付けられており、このインターミディエイトハウジング４に設けた吸気ポート１１内に燃料を噴射する。インジェクタ８１は、図４に示すように、軸が斜め下向きとなるように傾いて、インターミディエイトハウジング４の側面から吸気ポート１１に向かって延びて配設されており、その先端は、吸気ポート１１内に臨んでいる。これにより、インジェクタ８１は、吸気の流れ方向に沿うように燃料を吸気ポート１１内に噴射する。噴射された燃料は吸気ポート１１内を流れる吸気と混合しながら、吸気ポート１１の開口を通じて吸気作動室８内に導入される。
【００４１】
ロータハウジング３の側部における、短軸Ｚを挟んだロータ回転方向のトレーリング側（遅れ側）位置と、リーディング側（進み側）位置とにはそれぞれ、Ｔ側点火プラグ８２とＬ側点火プラグ８３とが取り付けられている。これら２つの点火プラグ８２、８３は、圧縮・膨張作動室８に臨んでおり、この圧縮・膨張作動室８内の混合気に、同時に点火、又は位相差を持って順に点火をする。このように２つの点火プラグ８２、８３を備えることによって、扁平形状となる圧縮・膨張作動室８において、その燃焼速度を高めるようにしている。
【００４２】
前述したように、このロータリピストンエンジン１では、吸気ポート１１が、エンジン１における下部側に設けられている。この吸気ポート１１に連通しかつ、吸気通路の一部を構成する吸気マニホールド１２は、エンジン１の側方位置で、上から下に延びて設けられている。
【００４３】
吸気マニホールド１２は、共通通路１２１と、この共通通路１２１に連続する第１〜第４の４つの独立通路１２２とを含んで構成されている。共通通路１２１は、図２、３に示すように、エンジン１の側方の上部に配設されている。共通通路１２１は、その中間部が屈曲しており、共通通路１２１の上流端部は、車両前後方向の前方を向いて配設されて、エンジン１の側方上部の前側の位置においてスロットルボディ１２３が取り付けられると共に、下流端部は、エンジン１の側方上部の前後方向の中央部付近（つまり、インターミディエイトハウジング４の付近において）下方を向くように配設されている。
【００４４】
４つの独立通路１２２は共に、その上流端部が共通通路１２１の下向きの下流端に接続されて下方に向かって延びると共に、４つの独立通路１２２はそれぞれ、車両前後方向に対称な形状となるように配設されている（図２参照）。そうして、第１の独立通路１２２は、前側のサイドハウジング５に設けた吸気ポートに接続され、第２の独立通路１２２は、インターミディエイトハウジング４に設けた吸気ポート１１（正確には、前側のロータ収容室３１に開口する吸気ポート１１）に接続され、第３の独立通路１２２は、インターミディエイトハウジング４に設けた吸気ポート１１（正確には、後側のロータ収容室３１に開口する吸気ポート１１）に接続され、第４の独立通路１２２は、後側のサイドハウジング５に設けた吸気ポートに接続される。
【００４５】
車両前後方向に一列に並んだ４つの独立通路１２２の下流端部には、これら４つの独立通路に共通のフランジ１２４が車両前後方向に延びて設けられており、このフランジ１２４がエンジン１の側面下部に固定されることに伴い、各独立通路１２２が各吸気ポート１１に接続されるようになっている（図４も参照）。
【００４６】
また、このロータリピストンエンジン１では、排気ポート１０が、エンジン１における上部側に設けられている。この排気ポート１０に連通しかつ、排気通路の一部を構成する排気マニホールド１３は、エンジン１の上面と側面との角部付近に取り付けられている。排気マニホールド１３は、２つのサイドハウジング５のそれぞれに設けられた排気ポートと、インターミディエイトハウジング４に設けられた２つの排気ポート１０のそれぞれとに接続される合計４つの独立通路１３２と、これら４つの独立通路１３２が連通する集合通路１３１とを有して構成されている。４つの独立通路１３２の内、インターミディエイトハウジング４の排気ポート１０に連通する２つの独立通路１３２は、外観上、一体化している。排気マニホールド１３の独立通路１３２の下流端部にも、共通のフランジ１３３が車両前後方向に延びて設けられており、このフランジ１３３がエンジン１の上面と側面との角部付近に固定されることに伴い、各独立通路１３２が各排気ポート１０に接続されるようになっている（図４も参照）。
【００４７】
排気マニホールド１３の上方位置には、タービン３２とコンプレッサ３３とを含む排気ターボ装置３０が配設されている。これにより、排気ターボ装置３０は、ロータリピストンエンジン１の上方において、当該エンジン１における車体前後方向の前側に位置することになる。排気ターボ装置３０のタービン３２は、排気マニホールド１３の上面部に対して載置されるように配設され、図示は省略するが、排気マニホールド１３の集合通路１３１に連通している。また、図示は省略するが、排気ターボ装置３０のコンプレッサ３３の流入口は吸気通路を介してエアクリーナーに接続され、流出口は吸気通路を介してスロットルボディ１２３に接続される。
【００４８】
排気ターボ装置３０のタービン３２の流出口には排気通路３４が接続されている。排気通路３４は、エンジン１の上方を車体前後方向の後方に延びた後、エンジン１の後ろ側において、斜め下向きに延び、ダッシュパネル９２の凹陥部９３を通じてフロアトンネル９４内に至るように配設されている。排気通路３４の途中には、直キャタリスト３５、及び、アンダーフットキャタリスト３６がそれぞれ介設している。直キャタリスト３５は、エンジン１の上方でかつ、エンジン１の後端部付近に配設されている。アンダーフットキャタリスト３６は、フロアトンネル９４内に配設されている。
【００４９】
本構成のロータリピストンエンジン１は、前述したように、吸気ポート１１がエンジン１における下部側の位置に設けられており、それに伴い、吸気通路（つまり、吸気マニホールド１２）は、エンジン１の側方位置を上から下に延びて配設される。吸気マニホールド１２の、特に独立通路１２２の長さは、吸気ポートがエンジンにおける上部側の位置に設けられた従来構成のロータリピストンエンジンと比較して長くなる。その結果、慣性効果による動的過給効果を得る上で有利になる。つまり、本構成のロータリピストンエンジン１は、吸気性能が向上する。また、エンジン１の近傍に配設される吸気マニホールド１２及び吸気通路には、大型のデバイスが介設されないため、吸気マニホールド１２をエンジン１の側方位置で上から下に延びて配設する構成は、ロータリピストンエンジン１のコンパクト化に有利になる。
【００５０】
また、本構成のロータリピストンエンジン１は、排気ポート１０がエンジン１における上部側の位置に設けられており、それに伴い、排気マニホールド１３及び排気通路３４は共に、エンジン１の上方位置に配設される。この構成により、排気マニホールド１３及び排気通路３４の長さが比較的短くなり、通路抵抗が低下して、排気性能が向上する。
【００５１】
また、排気マニホールド１３及び排気通路３４をエンジン１に上方位置に配設することに伴い、排気ターボ装置３０も、エンジン１の上方位置に配設されることになる。ここで、従来構成のロータリピストンエンジンでは、排気ポートがエンジンの下部側の位置に設けられることで、例えば、図３に破線で囲むようなエンジンの側方下部に、排気ターボ装置が配設されることになる。この場合、排気ターボ装置と、クロスメンバ９５（つまり、車体部材）との干渉を招く虞がある。これに対し、本構成では、排気ターボ装置３０がエンジン１の上方位置に配設されるため、こうした干渉を確実に回避することが可能になる。また、排気ターボ装置３０と車体部材との干渉が回避されることにより、ロータリピストンエンジン１の搭載位置を、できるだけ低い位置にすることが可能になる。これは、エンジンルーム９０内で、エンジン１の上方の空間を広くし、排気マニホールド１３、排気ターボ装置３０、及び、排気通路３４の配設スペースを十分に確保することを可能にする。さらに、直キャタリスト３５を、エンジン１の上方位置において、エンジン１に近い位置に配置することも可能になるから、触媒の早期活性化に有利になり、排気エミッション性能の向上に有利になる。
【００５２】
次に、本構成のロータリピストンエンジン１の排気ポート１０の形状について、詳細に説明をする。図４〜６に示すように、排気ポート１０は、サイドハウジング（尚、ここでいうサイドハウジングには、インターミディエイトハウジング４及びサイドハウジング５を含む）の側面において、作動室８に開口する開口部１０１と、開口部１０１に対して曲がりながら連続する共に、サイドハウジング４、５内を、エンジン１の外周面に向かって延びて、当該外周面に開口する通路部１０２と、を有して構成されている。図６は、排気ポート１０の形状を概念的に示しており、開口部１０１は、車両前後方向に延びるのに対し、通路部１０２は、車両前後方向に直交する方向に延びており、図６に矢印で示すように、開口部１０１と通路部１０２との交わる箇所で、排気ガスは曲がりながら流れる。尚、図６では、理解容易のため、開口部１０１の形状を後述するように、細長略三角形状ではなく、四角形状としている。
【００５３】
排気ポート１０の開口部１０１は、図５に示すように、第１、第２及び第３辺１０１１、１０１２、１０１３からなる細長い略三角形状を有している。尚、白抜きの矢印は、開口部１０１に流入する排気ガスの流れを例示している。第１〜第３辺１０１１、１０１２、１０１３の内、作動室８内の内側に位置する第１辺１０１１の長さが、外側に位置する第２辺１０１２及び第３辺１０１３の長さよりも長くなる。この細長略三角形状の開口部１０１の形状は、次のようにして定められる。つまり、第２辺１０１２に相当する開口縁の形状は、図５に仮想的に示すように、回転するロータ２が、所定のタイミングで排気ポート１０を開くように、ロータ２の周縁形状にほぼ一致するように設定され、第３辺１０１３に相当する開口縁の形状は、回転するロータ２が、所定のタイミングで排気ポート１０を閉じるように、ロータ２の周縁形状にほぼ一致するように設定される。第１辺１０１１に相当する開口縁の形状は、ロータ２に設けられたオイルシール２１（図４参照）の軌跡に基づいて、設定される。
【００５４】
このようにして形状が設定される細長略三角形状の開口部１０１に対し、通路部１０２は、図５に示すように、開口部１０１の第１辺１０１１の略中央から三角形の重心Ｇに向かう方向に延びるように構成されている。これにより排気ポート１０の通路抵抗を低減することが可能になり、排気性能のさらなる向上が図られる。
【００５５】
この点について詳細に説明をする。図５に示す一点鎖線の各矢印は、排気ポート１０の通路部１０２の方向の候補を例示している。この候補には、通路部１０２がエンジン１の側面に向かう第１候補、第１候補に対して３０°だけ角度が異なり、ロータリピストンエンジン１の上面と側面との角部付近（側面に近い側の角部）に向かう第２候補、第１候補に対して６０°だけ角度が異なり、ロータリピストンエンジン１の上面と側面との角部付近（上面に近い側の角部）に向かう第３候補、第１候補に対して９０°だけ角度が異なり、ロータリピストンエンジン１の上面に向かう第４候補が含まれる。この内、第１候補は、排気ポートをロータリピストンエンジンの下部側に設ける従来構成における排気ポートの構成に最も近い構成である。排気ポートをエンジンの下部側に設ける従来構成においては、排気マニホールドがエンジンの側面下部に取り付けられるように、排気ポートの通路部をエンジンの側面に向かって、ほぼ水平方向に延ばすことにより、通路部をエンジンの側面下部に開口させることが一般的である。
【００５６】
図５に示す各候補において、第２候補及び第３候補は共に、開口部１０１の第１辺１０１１から三角形の重心Ｇにおけるに向かう方向に通路部１０２が延びている。つまり、開口部１０１の第１辺１０１１から三角形の重心Ｇに向かう方向と、通路部１０２が延びる方向との角度差が小さい。これに対し、第４候補は、開口部１０１の第１辺１０１１から三角形の重心Ｇに向かう方向と、通路部１０２が延びる方向との角度差が大きい。また、第１候補も、開口部１０１の第１辺１０１１から三角形の重心Ｇに向かう方向と、通路部１０２が延びる方向との角度差が相対的に大きい。この角度差が大きいほど、開口部１０１は、通路部１０２に対して、図６において一点鎖線で示すような位置関係になる。つまり、通路部１０２の流路幅に対して、開口部１０１の流路幅が狭くなり、開口部１０１から通路部１０２内へと向かう際に排気ガス流の乱れが大きくなり、流路抵抗が増大する。一方、角度差が小さいほど、開口部１０１は、通路部１０２に対して、図６において実線で示すような位置関係になる。つまり、通路部１０２の流路幅と、開口部１０１の流路幅との差が小さくなることで、図６に矢印で示すように、開口部１０１から通路部１０２内へと向かう際に排気ガス流の乱れが少なく、排気ガスはスムースに流れるようになる。その結果、流路抵抗の増大が回避される。
【００５７】
図７は、第１候補を基準にしたときに、第２から第４の各候補の質量流量の増減比を示す図である。質量流量が増加するほど、排気ポート１０を通過する排気ガスの流路抵抗が小さくなったことを示し、逆に、質量流量が減少するほど、排気ポート１０を通過する排気ガスの流路抵抗が大きくなったことを示す。図７によると、第２候補（３０°）及び第３候補（６０°）は、第１候補よりも質量流量が増加している。第２候補及び第３候補はそれぞれ、第１候補、言い換えると従来構造の排気ポートよりも通路抵抗を低減させることが可能である。一方、第４候補（９０°）は、第１候補よりも質量流量が減少している。第４候補は、第１候補よりも通路抵抗が大きくなる。従って、排気通路の通路抵抗を低減する上で、排気ポート１０の形状は、第２候補又は第３候補とすることが好ましい。尚、図１〜５に示すロータリピストンエンジン１は、第３候補に相当する。
【００５８】
こうして流通抵抗が低減するように通路部１０２の向きを設定することに伴い、通路部１０２は、図４に示すように、ロータリピストンエンジン１の上面と側面との角部付近に開口することになる。これは、エンジン１の上方に配設される排気ターボ装置３０及び排気通路３４との接続性を良くする。
【００５９】
尚、ここではロータ２を２個有する２ロータタイプのエンジンを例示したが、ロータ２の個数（気筒数）はこれに限定されるものではない。
【符号の説明】
【００６０】
１  ロータリピストンエンジン（ロータリピストンエンジン本体）
１０  排気ポート
１０１  開口部
１０２  通路部
１１  吸気ポート
１２  吸気マニホールド（吸気通路）
１３  排気マニホールド（排気通路）
２  ロータ
２１  オイルシール
３  ロータハウジング
３１  ロータ収容室
３３  排気ターボ装置
３４  排気通路
４  インターミディエイトハウジング（サイドハウジング）
５  サイドハウジング
Ｘ  出力軸
【図１】
2016061275.tif 000003
【図２】
2016061275.tif 000004
【図３】
2016061275.tif 000005
【図４】
2016061275.tif 000006
【図５】
2016061275.tif 000007
【図６】
2016061275.tif 000008
【図７】
2016061275.tif 000009